(57)【要約】【課題】本発明は、電荷結合素子が汚れることを防止し、撮像の質を高めるデジタルカメラモジュールを提供する。【解決手段】発明に係るデジタルカメラモジュールは、中空円柱体であり、内周壁にレンズが装着され、外周壁に外部ねじ山が設けられている第一鏡筒と、中空円柱体であり、内周壁に前記外部ねじ山に合う内部ねじ山が設けられ、この内部ねじ山が一端から略中間まで延びている第二鏡筒と、前記第二鏡筒の内部で、前記外部ねじ山と内部ねじ山によって、前記第一鏡筒と前記第二鏡筒の間に圧接されている防塵部材と、前記第二鏡筒に固定されて、前記レンズからの光を受ける電荷結合モジュールと、を含む。【選択図】図２
2007020191.tif 000002
【特許請求の範囲】
【請求項１】
デジタルカメラモジュールにおいて、
内周壁にレンズが装着され、外周壁に外部ねじ山が設けられている第一鏡筒と、
内周壁に前記外部ねじ山に合う内部ねじ山が設けられ、この内部ねじ山が一端から略中間まで延びている第二鏡筒と、
前記第二鏡筒の内部で、前記外部ねじ山と内部ねじ山との係合によって、前記第一鏡筒と第二鏡筒の間に圧接されている防塵部材と、
前記第二鏡筒に固定され、前記レンズからの光を受ける電荷結合モジュールと、
を含むことを特徴とするデジタルカメラモジュール。
【請求項２】
デジタルカメラモジュールにおいて、
内周壁にレンズが装着された第一筒部と、内周壁に内部ねじ山が設けられた第二筒部とを含む第一鏡筒と、
外周壁に前記内部ねじ山に合う外部ねじ山が設けられている第二鏡筒と、
前記第二鏡筒に置かれ、且つ前記外部ねじ山と前記内部ねじ山との係合によって、前記第一鏡筒と前記第二鏡筒の間に圧接されている防塵部材と、
前記第二鏡筒に固定され、前記レンズからの光を受ける電荷結合モジュールと、
を含むことを特徴とするデジタルカメラモジュール。
【請求項３】
前記防塵部材は環状体であり、前記第二鏡筒の内周壁に設けられる環状突起に掛けられていることを特徴とする請求項１又は２に記載のデジタルカメラモジュール。
【請求項４】
前記防塵部材は環状体であり、この環状体の外周面には径方向に沿って突出した環形突起が設けられ、且つこの環形突起が内部ねじ山のない第二鏡筒の内周壁に直接的に圧接されていることを特徴とする請求項１又は２に記載のデジタルカメラモジュール。
【発明の詳細な説明】
【技術分野】
【０００１】
本発明はデジタルカメラモジュールに係わり、特に電荷結合素子が汚れることを防止することができるデジタルカメラモジュールに関するものである。
【背景技術】
【０００２】
電荷結合素子は、光エネルギーを電気エネルギーに変換するためのデジタルカメラの重要な撮像素子である。携帯電子機器が高性能、多機能化の方向へ発展するためにデジタルカメラを上記携帯電子機器に搭載する方式が提案された。しかし、携帯電子機器のサイズを小さくし、重さを軽くする要求と対応して、携帯電子機器に搭載するデジタルカメラモジュールに対して軽量化と高性能化が要求される。前記電荷結合素子は、デジタルカメラのサイズと性能を決定する重要な要素である。
【０００３】
図１を参照すると、従来技術のデジタルカメラモジュールは、第一鏡筒１０、第二鏡筒１２及び電荷結合モジュール１４を含む。
【０００４】
前記第一鏡筒１０の外周面に外部ねじ山１０２が設けられ、前記第二鏡筒１２の内周面に内部ねじ山１２２が設けられている。前記第一鏡筒１０は、外部ねじ山１０２と内部ねじ山１２２との係合によって、前記第二鏡筒１２に装着されている。前記電荷結合モジュール１４は、基板１４２とこの基板１４２に連結される電荷結合素子１４４を含む。前記基板１４２は、前記電荷結合素子１４４と他の回路基板を導電的に連結する。前記第一鏡筒１０が装着された前記第二鏡筒１２は、前記電荷結合モジュール１４の上に置かれ、且つこの第二鏡筒１２は前記電荷結合モジュール１４の基板１４２に固定されている。
【０００５】
焦点を調整する時、前記第一鏡筒１０或いは第二鏡筒１２を回すと、前記外部ねじ山１０２と内部ねじ山１２２によって、前記第一鏡筒１０が第二鏡筒１２の軸線に沿って移動することができる。前記第一鏡筒１０と電荷結合素子１４４の間の距離が最適な撮像の状態になった時、接着剤で前記第一鏡筒１０を第二鏡筒１２に固定させる。すると、デジタルカメラモジュールの組み立てが完了する。
【０００６】
上述したように、前記第一鏡筒１０或いは第二鏡筒１２を回すと、前記第一鏡筒１０が外部ねじ山１０２と内部ねじ山１２２によって、前記第二鏡筒１４の最適な位置に到達することができる。しかし、前記第一鏡筒１０が第二鏡筒１２に相対して回転する時、前記外部ねじ山１０２と内部ねじ山１２２の摩擦によって、粉塵或いはミクロ粒子が生じる。もし、この粉塵或いはミクロ粒子が前記電荷結合素子１４４に落ちて、この電荷結合素子１４４が汚れると、前記デジタルカメラモジュールの撮像の質に影響を与えることができる。
【０００７】
即ち、従来のデジタルカメラモジュールは、電荷結合素子が汚れ、デジタルカメラモジュールの撮像の質が悪くなる欠点がある。
【発明の開示】
【発明が解決しようとする課題】
【０００８】
以上の問題点に鑑みて、本発明は、電荷結合素子が汚れることを防止し、撮像の質を高めるデジタルカメラモジュールを提供することを目的とする。
【課題を解決するための手段】
【０００９】
デジタルカメラモジュールにおいて、中空円柱体であり、内周壁にレンズが装着され、外周壁に外部ねじ山が設けられている第一鏡筒と、中空円柱体であり、内周壁に前記外部ねじ山に合う内部ねじ山が設けられ、この内部ねじ山が一端から略中間まで延びている第二鏡筒と、前記第二鏡筒の内部で、前記外部ねじ山と内部ねじ山によって、前記第一鏡筒と前記第二鏡筒の間に圧接されている防塵部材と、前記第二鏡筒に固定されて、前記レンズからの光を受ける電荷結合モジュールと、を含む。
【発明の効果】
【００１０】
上述したように、前記第一鏡筒と前記第二鏡筒の間に防塵部材があるから、焦点を制御するために、前記第一鏡筒と前記電荷結合素子の間の距離を制御する時、前記第一鏡筒の外部ねじ山と第二鏡筒の内部ねじ山の摩擦によって生じる粉塵或いはミクロ粒子が前記電荷結合素子モジュールに落ちることを防止することができる。前記電荷結合素子モジュールが汚れることを防止することができるために、前記電荷結合素子モジュールの清潔さを保持することができる。従ってデジタルカメラモジュールの撮像の質も高めることができる
【発明を実施するための最良の形態】
【００１１】
以下図面に基づいて、本発明の実施形態に係るデジタルカメラモジュールに対して詳細に説明する。
【００１２】
図２を参照すると、本発明の第一実施形態に係るデジタルカメラモジュールは、第一鏡筒２０、第二鏡筒２２、防塵部材２４及び電荷結合モジュール２６を含む。
【００１３】
前記第一鏡筒２０は、中空円柱体である。この第一鏡筒２０の内周壁に少なくとも１つのレンズ２０２が装着され、この第一鏡筒２０の外周壁に外部ねじ山２０４が設けられている。
【００１４】
前記第二鏡筒２２は、両端が開口される中空円柱体である。この第二鏡筒２２の内周壁の略中間位置に環状突起２２２が設けられ、この環状突起２２２の上部の内周壁に内部ねじ山２２４が設けられている。
【００１５】
前記防塵部材２４は、Ｏ字形の環状体である。この防塵部材２４は、前記第二鏡筒２２の前記環状突起２２２の上に置かれ、前記第一鏡筒２０とこの環状突起２２２の間に圧接されている。
【００１６】
前記電荷結合モジュール２６は、基板２７、接着剤２８、電荷結合素子２９及び複数の導線３０を含む。前記基板２７は、プラスチック、グラスファイバー、強化型プラスチック、セラミックス等の材料から製造したものである。この基板２７において、上表面には複数の上パット２７１が設けられ、下表面には前記上表面の上パット２７１に対応し、且つこの上パット２７１と導電的に連結された複数の下パット２７２が設けられている。前記基板２７は、前記電荷結合素子２９と他の回路基板を導電的に連結する。
【００１７】
前記電荷結合素子２９は、前記接着剤２８によって前記基板２７の上表面に固定されている。この電荷結合素子２９の上表面には感応区２９１が設けられ、この感応区２９１の周囲には複数のパット２９２が設けられている。
【００１８】
前記導線３０は、導電的な材料から製造したものである。この導線３０の一端は、前記電荷結合素子２９のパット２９２に導電的に連結され、他端は、前記基板２７の上パット２７１に導電的に連結されている。即ち、この導線３０は、前記電荷結合素子２９のパット２９２と前記基板２７の上パット２７１を導電的に連結する。
【００１９】
デジタルカメラモジュールを組み立てる時、先ず、前記防塵部材２４を前記第二鏡筒２２の開口端から、前記第二鏡筒２２の環状突起２２２に装着する。その後、前記第一鏡筒２０の外部ねじ山２０４が前記第二鏡筒２２の内部ねじ山２２４に合うように、前記第一鏡筒２０を前記第二鏡筒２２に装着する。最後に、前記防塵部材２４と第一鏡筒２０が装着された前記第二鏡筒２２を、前記電荷結合モジュール２６の上に固定させて、前記電荷結合素子２９が前記第二鏡筒２２の内部に置かれ、前記第二鏡筒２２が前記基板２７に固定されるようにする。
【００２０】
焦点を調整する時、前記第一鏡筒２０或いは第二鏡筒２２を回すと、前記外部ねじ山２０４と内部ねじ山２２４によって、前記第一鏡筒２０が第二鏡筒２２の軸線に沿って移動することができる。前記第一鏡筒２０と電荷結合素子２９の間の距離が最適な撮像の状態になった時、接着剤によって前記第一鏡筒２０を第二鏡筒２２に固定させる。すると、デジタルカメラモジュールの組み立てが完了する。
【００２１】
上述したように、前記第一鏡筒２０と第二鏡筒２２の環状突起２２２の間に前記防塵部材２４があるから、焦点を制御するために、前記第一鏡筒２０と電荷結合素子２９の間の距離を制御しても、前記第一鏡筒２０の外部ねじ山２０４と第二鏡筒２２の内部ねじ山２２４の間の摩擦によって生じる粉塵或いはミクロ粒子が前記電荷結合素子２９の感応区２９１に落ちることを防止することができる。前記電荷結合素子２９が汚れることを防止することができるために、前記電荷結合素子２９の清潔さを保持し、従ってデジタルカメラモジュールの撮像の質も高めることができる。
【００２２】
図３を参照すると、本発明の第二実施形態に係るデジタルカメラモジュールは、第一鏡筒４０、第二鏡筒４２、防塵部材４４及び電荷結合モジュール４６を含む。更に、前記電荷結合モジュール４６は、基板４７、接着剤４８、電荷結合素子４９及び複数の導線５０を含む。
【００２３】
前記第一鏡筒４０は、一体に形成される第一筒部４０２と第二筒部４０４を含む中空円柱体である。前記第一筒部４０２の内径が前記第二筒部４０４の内径より小さい。前記第一筒部４０２の内周壁には少なくとも１つのレンズ４０６が装着され、前記第二筒部４０４の内周壁には内部ねじ山４０８が設けられている。
【００２４】
前記第二鏡筒４２は、両端が開口される中空円柱体である。前記第二鏡筒４２の一端の外周面には、径方向に沿って突起した環形凸部４２２が設けられ、この環形凸部４２２と隣接した他端の外周面には、前記第一鏡筒４０の内部ねじ山４０８に合う外部ねじ山４２４が設けられている。且つこの第二鏡筒４２の他端の末端に装着面４２６が設けられている。
【００２５】
前記防塵部材４４は、Ｏ字形の環状体である。この防塵部材４４は前記第二鏡筒４２の装着面４２６の上に置かれ、且つ前期第一鏡筒４０とこの装着面４２６の間に圧接されている。
【００２６】
前記電荷結合モジュール４６は、プラスチック、グラスファイバー、強化型プラスチック、セラミックス等の材料から製造したものである。この基板４７の上表面には複数の上パット４７１が設けられ、下表面にはこの上パット４７１に対応し、且つこの上パット４７１と導電的に連結された複数の下パット４７２が設けられている。前記基板４７は、前記電荷結合素子４９と他の回路基板を導電的に連結する。
【００２７】
前記電荷結合素子４９は、前記接着剤４８によって前記基板４７の上表面に固定されている。この電荷結合素子４９の上表面には感応区４９１が設けられ、この感応区４９１の周囲には複数のパット４９２が設けられている。
【００２８】
前記導線５０は導電的な材料から製造したものである。この導線５０の一端は、前記電荷結合素子４９のパット４９２に導電的に連結され、他端は、前記基板４７の上パット４７１に導電的に連結されている。
【００２９】
デジタルカメラモジュールを組み立てる時、先ず、前記防塵部材４４を前記第二鏡筒４２の装着面４２６に落ちないように置く。その後、前記第一鏡筒４０の内部ねじ山４０８が前記第二鏡筒４２の外部ねじ山４２４に合うように、前記第一鏡筒４０を前記第二鏡筒４２に装着する。同時に、前記第一鏡筒４０を回して、前記防塵部材４４が第一鏡筒４０と第二鏡筒４２の間に圧接されるようにする。最後に、前記第二鏡筒４２を前記電荷結合モジュール４６の上に固定させて、前記電荷結合素子４９が前記第二鏡筒４２の内部に置かれ、前記第二鏡筒４２が前記基板４７に固定されるようにする。
【００３０】
焦点を調整する時、前記第一鏡筒４０或いは第二鏡筒４２を回すと、前記内部ねじ山４０８と外部ねじ山４２４によって、前記第一鏡筒４０が第二鏡筒４２の軸線に沿って移動することができる。前記第一鏡筒４０が前記電荷結合素子４９に相対して最適な撮像の位置に到達した時、接着剤によって前記第一鏡筒４０を第二鏡筒４２に固定させる。すると、デジタルカメラモジュールの組み立てが完了する。
【００３１】
上述したように、前記第一鏡筒４０と第二鏡筒４２の装着面４２６の間に前記防塵部材４４があるから、前記第一鏡筒４０と第二鏡筒４２の間の摩擦によって生じる粉塵或いはミクロ粒子が、前記電荷結合素子４９の感応区４９１に落ちることを防止することができる。前記電荷結合素子４９が汚れることを防止することができるために、前記電荷結合素子４９の清潔さを保持でき、従ってデジタルカメラモジュールの撮像の質も高めることができる。
【００３２】
且つ、前記第一鏡筒４０の内部ねじ山４０８と第二鏡筒４２の外部ねじ山４２４がすべて前記第二鏡筒４２の外周に設けられているから、前記第一鏡筒４０と電荷結合素子４９の間の距離を制御して焦点を制御する時、前記第一鏡筒４０と第二鏡筒４２の間の摩擦によって生じる粉塵或いはミクロ粒子が、前記電荷結合素子４９の感応区４９１に落ちることを更に防止することができる。
【００３３】
他の実施形態では、前記デジタルカメラモジュールの防塵部材４４の代わりに環形スペーサーを用いてもよい。また、防塵部材４４の外経を第二鏡筒２２の内径又は第二鏡筒４２の外経と同じにして、この防塵部材４４が第二鏡筒に相対する安定性を高めることができる。
【００３４】
前記第二鏡筒も他の形態の中空体に設計してもよい。前記第二鏡筒に環状突起を設けず、前記防塵部材の外周面に径方向に沿って突出した環形突起を設ける、この環形突起が直接的に内部ねじ山のない第二鏡筒の内周壁に圧接されて、摩擦によって生じる粉塵或いはミクロ粒子が、前記電荷結合素子に落ちることを防止する。
【図面の簡単な説明】
【００３５】
【図１】従来の技術に係るデジタルカメラモジュールを示す断面図である。
【図２】本発明の第一実施形態に係るデジタルカメラモジュールを示す断面図である。
【図３】本発明の第二実施形態に係るデジタルカメラモジュールを示す断面図である。
【符号の説明】
【００３６】
２０、４０        第一鏡筒
２２、４２        第二鏡筒
２４、４４        防塵部材
２６、４６        電荷結合モジュール
２０２、４０６    レンズ
２０４、４２４    外部ねじ山
２２２            環状突起
２２４、４０８    内部ねじ山
２７、４７        基板
２７１、４７１    上パット
２７２、４７２    下パット
２８、４８        接着剤
２９、４９        電荷結合素子
２９１、４９１    感応区
２９２、４９２    パット
３０、５０        導線
４０２            第一筒部
４０４            第二筒部
４２２            環形凸部
【図１】
2007020191.tif 000003
【図２】
2007020191.tif 000004
【図３】
2007020191.tif 000005